(57)【特許請求の範囲】
【請求項１】
フィールドに物品が載置されるゲーム装置であって、
縦方向に配設された内部に空間が設けられた第１及び第２支持部材と、
前記第１支持部材に沿って上下方向に移動可能となるようにし、前記第１支持部材と任意の高さで固定される第１ロック機構と、
前記第２支持部材に沿って上下方向に移動可能となるようにし、前記第２支持部材と任意の高さで固定される第２ロック機構と、
前記第１及び第２ロック機構と固定され、前記第１及び第２ロック機構が前記第１及び第２支持部材に沿って移動されるのに伴って、移動された位置において水平状態を維持する水平枠部材と、
前記水平枠部材に回転軸を介して回動可能に取り付けられ、前記物品を載置するための載置部材が装着される傾斜枠部材と、
前記傾斜枠部材を回動不可能に固定する固定部と、
前記第１及び第２支持部材のそれぞれの空間内に収容された、前記水平枠部材を上方に引き上げるように付勢する第１及び第２弾性部材とを具備したことを特徴とするゲーム装置。
【請求項２】
前記第１及び第２弾性部材は、それぞれ上端部が前記第１及び第２支持部材の上部に固定され、下端部が前記水平枠部材に固定されていることを特徴とする請求項１記載のゲーム装置。
【請求項３】
前記回転軸は、前記水平枠部材が前記第１及び第２ロック機構と固定された位置の近傍に設けられたことを特徴とする請求項１記載のゲーム装置。
【請求項４】
フィールドに物品が載置されるゲーム装置であって、
第１のフィールドの位置を調整する第１の機構と、第２のフィールドの位置を調整する第２の機構とを有し、
前記第１の機構は、
縦方向に配設された内部に空間が設けられた第１及び第２支持部材と、
前記第１支持部材に沿って上下方向に移動可能となるようにし、前記第１支持部材と任意の高さで固定される第１ロック機構と、
前記第２支持部材に沿って上下方向に移動可能となるようにし、前記第２支持部材と任意の高さで固定される第２ロック機構と、
前記第１及び第２ロック機構と固定され、前記第１及び第２ロック機構が前記第１及び第２支持部材に沿って移動されるのに伴って、移動された位置において水平状態を維持する第１水平枠部材と、
前記第１水平枠部材に回転軸を介して回動可能に取り付けられ、前記物品を載置するための載置部材が装着される第１傾斜枠部材と、
前記第１傾斜枠部材を回動不可能に固定する第１固定部と、
前記第１及び第２支持部材のそれぞれの空間内に収容された、前記第１水平枠部材を上方に引き上げるように付勢する第１及び第２弾性部材とを有し、
前記第２の機構は、
縦方向に配設された内部に空間が設けられた第３及び第４支持部材と、
前記第３支持部材に沿って上下方向に移動可能となるようにし、前記第３支持部材と任意の高さで固定される第３ロック機構と、
前記第４支持部材に沿って上下方向に移動可能となるようにし、前記第４支持部材と任意の高さで固定される第４ロック機構と、
前記第３及び第４ロック機構と固定され、前記第３及び第４ロック機構が前記第３及び第４支持部材に沿って移動されるのに伴って、移動された位置において水平状態を維持する第２水平枠部材と、
前記第２水平枠部材に回転軸を介して回動可能に取り付けられ、前記物品を載置するための載置部材が装着される第２傾斜枠部材と、
前記第２傾斜枠部材を回動不可能に固定する第２固定部と、
前記第３及び第４支持部材のそれぞれの空間内に収容された、前記第２水平枠部材を上方に引き上げるように付勢する第３及び第４弾性部材とを有し、
前記第１水平枠部材と前記第２水平枠部材とが同じ高さで固定された時に、前記第１水平枠部材と前記第２水平枠部材とが近接するように、前記第１の機構と前記第２の機構が配置されたことを特徴とするゲーム装置。
【発明の詳細な説明】
【技術分野】
【０００１】
本発明は、フィールドに景品等の物品が載置されるクレーンゲーム装置等のゲーム装置に関する。
【背景技術】
【０００２】
クレーンゲーム装置等のゲーム装置では、フィールド内に複数の景品が載置される。プレーヤは、ボタンなどを操作することによりクレーンアームの動きを制御して、景品が載置された位置まで移動させた後、景品を掴む、倒す、引き摺るといった動作をさせて景品を景品落とし口まで導くことにより、景品を獲得することができる。
【０００３】
従来では、プレーヤのゲームへの挑戦意欲を向上させるために、景品が載置されるゲームフィールドの形態に変化を持たせる構成が考えられている。例えば、特許文献１に記載された景品獲得ゲーム装置では、ゲームフィールドの高さを位置を変更するゲームフィールド昇降機構が設けられている。
【先行技術文献】
【特許文献】
【０００４】
【特許文献１】特開２００６−４３２８６号公報
【発明の概要】
【発明が解決しようとする課題】
【０００５】
従来技術でのゲームフィールド昇降機構は、ゲームフィールドを支持する支持脚と、支持脚を上下方向に移動可能にガイドするガイド部と、支持脚をガイド部に所定位置でロックするロック機構とを含んでおり、ゲームフィールドと支持脚とが固定されているために、ゲームフィールドと支持脚を一緒に上下方向にガイド部に沿って移動させた後、ロック機構によりロックする必要があった。
【０００６】
従来技術では、人手によりゲームフィールドを引き上げる作業を容易にするため、ゲームフィールドを上昇方向に付勢する昇降補助機構が設けられている。昇降補助機構は、ガスダンパーと、スイングアームと、ロッドから構成されており、スイングアームが稼働可能なスペースを必要としていた。
【０００７】
本発明は前述した事情に考慮してなされたもので、その目的は、多くのスペースを必要とすることなく、フィールドの形態を簡単に変更することが可能な機構を設けたゲーム装置を提供することにある。
【課題を解決するための手段】
【０００８】
上記の課題を解決するために、本発明は、フィールドに物品が載置されるゲーム装置であって、縦方向に配設された内部に空間が設けられた第１及び第２支持部材と、前記第１支持部材に沿って上下方向に移動可能となるようにし、前記第１支持部材と任意の高さで固定される第１ロック機構と、前記第２支持部材に沿って上下方向に移動可能となるようにし、前記第２支持部材と任意の高さで固定される第２ロック機構と、前記第１及び第２ロック機構と固定され、前記第１及び第２ロック機構が前記第１及び第２支持部材に沿って移動されるのに伴って、移動された位置において水平状態を維持する水平枠部材と、前記水平枠部材に回転軸を介して回動可能に取り付けられ、前記物品を載置するための載置部材が装着される傾斜枠部材と、前記傾斜枠部材を回動不可能に固定する固定部と、前記第１及び第２支持部材のそれぞれの空間内に収容された、前記水平枠部材を上方に引き上げるように付勢する第１及び第２弾性部材とを具備したことを特徴とする。
【発明の効果】
【０００９】
本発明によれば、多くのスペースを必要とすることなく、フィールドの形態を簡単に変更することが可能な機構を設けたゲーム装置を提供することができる。
【図面の簡単な説明】
【００１０】
【図１】本実施形態におけるゲーム装置の外観構成を示す斜視図。
【図２】本実施形態におけるゲーム装置の正面図。
【図３】本実施形態におけるクレーンゲーム装置の右側ユニット側から見た側面図。
【図４】本実施形態におけるクレーンゲーム装置に設けられた上下傾斜調整機構の主要部分を示す斜視図。
【図５】ロック機構とロック機構の周辺の構成の詳細を示す図。
【図６】ロック機構の外観を示す図。
【図７】ロック機構の外筐体を外して内部構造を示す図。
【図８】図７の反対側から見たロック機構の外筐体を外して内部構造を示す図。
【図９】ロック機構の内部構成を示す上面図。
【図１０】係合部材の先端部が垂直支持部材に挿入される様子を示す図。
【図１１】枠部材ロック機構の周辺を示す図。
【図１２】枠部材ロック機構の周辺を示す図。
【図１３】貫通機構部の平面図。
【図１４】基台の突起が通過する第２面の穴の形状を示す図。
【図１５】操作レバーの状態の一例を示す図。
【図１６】図１５に示すＡ−Ａ線の垂直支持部材を含む断面を示す図。
【図１７】景品フィールドの組合せにより構成される景品フィールド全体の形態の一例を示す図。
【図１８】景品フィールドの組合せにより構成される景品フィールド全体の形態の一例を示す図。
【図１９】景品フィールドの組合せにより構成される景品フィールド全体の形態の一例を示す図。
【図２０】景品フィールドの組合せにより構成される景品フィールド全体の形態の一例を示す図。
【図２１】フェンスの景品載置エリアへの取り付けの一例を示す図。
【発明を実施するための形態】
【００１１】
以下、図面を参照して本発明の実施の形態について説明する。  
図１は、本実施形態におけるゲーム装置の外観構成を示す斜視図、図２は、本実施形態におけるゲーム装置の正面図である。本実施形態のゲーム装置は、プレーヤの操作に応じてクレーンアームを制御して、景品を払い出すように動作するクレーンゲーム装置１０を例に示す。図１及び図２に示すクレーンゲーム装置１０は、上部筐体１２と下部筐体１３とから構成されている。上部筐体１２は、前面と側面の一部がアクリル板などの透明板１５（開閉部材）により覆われており、透明板１５を通じて筐体内部の景品フィールド１６Ｌ，１６Ｒが視認できるようになっている。透明板１５は、例えば正面側が開閉可能に構成されており、景品フィールド１６Ｌ，１６Ｒへの景品の入れ替えや補充、景品フィールド１６Ｌ，１６Ｒの形態（高さ、傾斜角度等）の変更、あるいは透明板１５の内側に設けられた収納部に収納された設定機器２８を利用する場合等に開放することができる。
【００１２】
本実施形態におけるクレーンゲーム装置１０は、同時に２人のプレーヤがゲームを実施することができるように、２つのゲームユニット（左側ユニット１０Ｌ、右側ユニット１０Ｒ）が搭載されている。２つのゲームユニットの景品フィールド１６Ｌ，１６Ｒは、仕切板（図示せず）によって区分されている。仕切板により区分された２つの景品フィールド１６Ｌ，１６Ｒには、それぞれ景品を積載することができる。
【００１３】
本実施形態におけるクレーンゲーム装置１０では、景品フィールド１６Ｌ，１６Ｒの高さと傾斜角度を変更することができる上下傾斜調整機構が設けられている。上下傾斜調整機構は、景品フィールド１６Ｌ，１６Ｒのそれぞれについて、前方側と後方側の各フィールドについて、個別に高さと傾斜角度を調整することができる。図１及び図２では、右側ユニット１０Ｒにおいて、景品フィールド１６Ｒの前方側と後方側のフィールドの高さが異なるように調整されている例を示している。上下傾斜調整機構の詳細については後述する（図７、図８）。
【００１４】
また、景品フィールド１６Ｌ，１６Ｒには、例えば、複数の景品載置部材を組み合わせてフレームに装着することによって景品を載置することができる景品載置エリアと、景品載置部材を装着しないことにより景品を落下させるための景品落とし口が形成される。景品載置部材の形状や大きさは、フレーム（支持部材）に装着可能であれば任意に決めることができる。また、景品載置部材が容易に脱着可能となるように構成されているため、管理者は、景品載置エリアと景品落とし口を簡単に設定することができる。景品載置エリアと景品落とし口の位置を変更した場合には、管理者は、設定機器２８を用いて、景品載置エリアと景品落とし口の位置に応じて各種の設定をすることができる。詳細については後述する。
【００１５】
なお、景品フィールド１６Ｌ，１６Ｒは、複数の景品載置部材を組み合わせるだけでなく、景品落とし口に相当する穴あるいは角や辺の一部をくり抜いた１枚の景品載置部材を用いて形成することも可能である。また、景品載置部材は、上面部が平面となっている部材とするだけでなく、表面に凹凸や景品を支持するための形状が設けられた部材とすることも可能である。
【００１６】
景品フィールド１６Ｌ，１６Ｒの下方部には、景品フィールド１６Ｌ，１６Ｒから落下した景品を、下部筐体１３の前面側に設けられた景品取出口２１Ｌ，２１Ｒに誘導するための景品誘導空間が設けられている。景品フィールド１６Ｌの下方部に設けられた景品誘導空間は、景品フィールド１６Ｌの前方側フィールドとほぼ全面に対応した広さが設けられており、景品取出口２１Ｌと連通されている。また、景品フィールド１６Ｒの下方部に設けられた景品誘導空間は、景品フィールド１６Ｒの前方側フィールドとほぼ全面に対応した広さが設けられており、景品取出口２１Ｒと連通されている。
【００１７】
左右の景品フィールド１６Ｌ，１６Ｒの上方には、プレーヤ操作に応じて動作が制御されるクレーンアーム１８Ｌ，１８Ｒが装着されている。上部筐体１２内の景品フィールド１６Ｌ，１６Ｒの上方には、それぞれクレーンアーム１８Ｌ，１８Ｒを、例えばＸ軸方向、Ｙ軸方向、及びＺ軸方向（上下方向）に移動させるためのクレーン機構部（図示せず）が設けられている。クレーン機構部は、ボタン２４Ｌ，２４Ｒへのプレーヤ操作に応じて制御される。
【００１８】
クレーンアーム１８Ｌ，１８Ｒの先端部には、景品を把持するための２本のアーム１８Ｌａ，１８Ｒａ（把持爪）が設けられている（なお、３本あるいは４本のアームを設けても良い）。アーム１８Ｌａ，１８Ｒａは、クレーンアーム１８が下降されて景品に到達した位置で、閉じる（物を把持する）ように動作が制御される。
【００１９】
下部筐体１３の正面側には、景品取出口２１Ｌ，２１Ｒやプレーヤによって操作が行われるコンパネ（コントロールパネル）部２３Ｌ，２３Ｒが設けられている。  
景品取出口２１Ｌ，２１Ｒは、筐体内（景品フィールド）から景品を外部に取り出すためのもので、景品フィールド１６Ｌ，１６Ｒの下方部に設けられた景品誘導空間と連通している。クレーンアーム１８Ｌ，１８Ｒを動作させることにより景品が景品落とし口に落下されることにより、景品取出口２１Ｌ，２１Ｒから景品を取り出すことができる。
【００２０】
コンパネ部２３Ｌ，２３Ｒには、クレーンアーム１８Ｌ，１８Ｒを動作させるためにプレーヤにより操作される複数のボタン２４Ｌ，２４Ｒ、プレイ料金とするコインが投入されるコイン投入口２６Ｌ，２６Ｒ、プレイ料金や投入されたコインに応じた残りプレイ回数を表示するための表示装置２７Ｌ，２７Ｒ（例えば７セグ表示器）等が設けられている。また、ゲーム実行中の効果音や音楽、メッセージ音声などを出力するためのスピーカ４９が設けられている。
【００２１】
また、本実施形態におけるクレーンゲーム装置１０には、管理者がクレーンゲーム装置１０に対して各種設定をするための設定機器２８が設けられている。設定機器２８は、クレーンゲーム装置１０の本体筐体から着脱可能な可搬型に構成されている。図１に示す設定機器２８は、透明板１５の内側に設けられた収納部に収納された状態を示している。設定機器２８は、各種設定のための操作をする場合には、収納部から取り出して、クレーンゲーム装置１０と近接した位置で手に保持した状態で取り扱うことができる。設定機器２８は、クレーンゲーム装置１０の筐体内に収納された制御ユニットと、例えばケーブルを介して接続されている。なお、設定機器２８は、有線によって制御ユニットと接続される構成とするだけでなく、無線通信（無線ＬＡＮ（Local Area Network）など）によって接続される構成とすることも可能である。設定機器２８は、左側ユニット１０Ｌと右側ユニット１０Ｒのそれぞれに対する各種設定を個別にすることができる。
【００２２】
図３は、本実施形態におけるクレーンゲーム装置１０の右側ユニット１０Ｒ側から見た側面図である。  
図３に示すように、景品フィールド１６Ｒは、前方側の景品フィールド３２と後方側の景品フィールド３５とに分かれており、個別に上下傾斜調整機構によって上下位置、傾斜角度を調整することができる。図３に示す例では、前方側２／３の範囲が景品フィールド３２、後方側１／３の範囲が景品フィールド３５となっている。
【００２３】
景品フィールド３２に対応する上下傾斜調整機構には、垂直支持部材３１と、景品フィールド３２を垂直支持部材３１に固定するためのロック機構３３が含まれている。また、景品フィールド３５に対する上下傾斜調整機構には、垂直支持部材３４と、景品フィールド３５を垂直支持部材３４に固定するためのロック機構３６が含まれている。
【００２４】
また、上下傾斜調整機構には、管理者が景品フィールド３２，３５の位置を調整する作業をアシストするためのアシスト機構が設けられている。アシスト機構は、垂直支持部材３１，３４に内挿された弾性部材（例えばバネ）によって景品フィールド３２，３５（水平枠部材３８，４２）を引き上げるように作用させることにより、管理者が景品フィールド３２，３５の高さ調整をする際に、景品フィールド３２，３５の全重量が管理者にかからないようにする。これにより、景品フィールド３２，３５の高さ調整の作業を、腕力がない管理者であっても容易に実施できるようにしている。上下傾斜調整機構の詳細な構成については後述する。
【００２５】
なお、図３に示す構成において、左側ユニット１０Ｌと右側ユニット１０Ｒでは、垂直支持部材３１が設けられている前面からの位置が異なっている。図３に示す垂直支持部材３１ａは、左側ユニット１０Ｌの左側に配置されたもので、縦方向に設けられたスリットから内挿されたバネが見えていることを表している。
【００２６】
図４は、本実施形態におけるクレーンゲーム装置１０に設けられた上下傾斜調整機構の主要部分を示す斜視図である。図４は、例えば左側ユニット１０Ｌに設けられた上下傾斜調整機構として説明する。右側ユニット１０Ｒに設けられた上下傾斜調整機構も同様の構成を有するものとして説明を省略する。
【００２７】
図４に示すように、前方側の景品フィールド３２に対応する上下傾斜調整機構には、左側の垂直支持部材３１Ｌと右側の垂直支持部材３１Ｒが設けられている。垂直支持部材３１Ｌには、ロック機構３３Ｌが上下方向に摺動可能となるように装着されている。同様にして、垂直支持部材３１Ｒには、ロック機構３３Ｒが上下方向に摺動可能となるように装着されている。ロック機構３３Ｌ，３３Ｒの底部には、水平枠部材３８が固定されている。水平枠部材３８は、後述する後方側の景品フィールド３５に対応する上下傾斜調整機構に設けられた水平枠部材４２と共に矩形枠を形成する。水平枠部材３８は、前方側の景品フィールド３２の外周枠を形成しており、枠内に景品載置部材が配置されることにより景品載置エリアを形成する。
【００２８】
水平枠部材３８は、ロック機構３３Ｌ，３３Ｒと固定されているため、ロック機構３３Ｌ，３３Ｒが垂直支持部材３１Ｌ，３１Ｒに沿って上下方向に摺動されるのに伴って上下方向に移動する。これにより、景品フィールド３２の高さを調整することができる。
【００２９】
ロック機構３３Ｌ，３３Ｒは、それぞれに設けられたロックスイッチ３３Ｌａ，３３Ｒａをオフすることによりロックが外れて上下方向に移動させることができ、オンすることによりロックされて位置が固定される。
【００３０】
水平枠部材３８の下部には、垂直支持部材３１Ｌに沿って支持部材４０Ｌが取り付けられ、垂直支持部材３１Ｒに沿って支持部材４０Ｒが取り付けられている。支持部材４０Ｌ，４０Ｒは、水平枠部材３８をロック機構３３Ｌ，３３Ｒと一体化させると共に、上下方向の摺動時や景品フィールド３２に景品を載置しても安定するように支持するための部材である。なお、図４に示す上下傾斜調整機構では、水平枠部材３８を下から支持部材４０Ｌ，４０Ｒによって支えているが、水平枠部材３８の上側に支持部材４０Ｌ，４０Ｒの代わりに同様の目的を持った部材を取り付けた構成としても良い。
【００３１】
水平枠部材３８の内側には、垂直支持部材３１Ｌ，３１Ｒの近傍に設けられた回転軸を介して、回動可能な状態で傾斜枠部材３９が取り付けられている。傾斜枠部材３９は、回転軸によって任意に傾斜角度を変更させることができる。水平枠部材３８に設けられた回転軸は、水平枠部材３８がロック機構３３Ｌ，３３Ｒと固定された位置の近傍に設けられている。すなわち、傾斜枠部材３９に景品載置部材を装着すること（さらには複数の景品が載置されること）により増加する荷重を、垂直支持部材３１Ｌ，３１Ｒの軸近傍においてかけるようにすることで、水平枠部材３８やロック機構３３Ｌ，３３Ｒ、支持部材４０Ｌ，４０Ｒに対する負荷を軽減することができる。
【００３２】
また、水平枠部材３８に設けられた回転軸の近傍には、水平枠部材３８と傾斜枠部材３９とを固定する枠部材ロック機構４１Ｌ，４１Ｒが設けられている。枠部材ロック機構４１Ｌ，４１Ｒは、傾斜枠部材３９を任意の角度で傾斜させた状態で回動不可能となるように、水平枠部材３８と傾斜枠部材３９とを固定して、傾斜した状態を維持する。
【００３３】
なお、図４においては、上下傾斜調整機構の詳細な構成を図示するために図示を省略しているが、傾斜枠部材３９は、景品載置エリアを形成するために、複数の景品載置部材を装着するための支持部材として使用される。傾斜枠部材３９は、支持部材の外周枠を構成しており、例えば景品載置部材の形状（サイズ等）に合わせた他の支持部材を、さらに装着することが可能である。
【００３４】
図４に示すように、後方側の景品フィールド３５に対応する上下傾斜調整機構は、前方側の景品フィールド３２に対応する上下傾斜調整機構と同様の構成を有している。すなわち、後方側の上下傾斜調整機構は、左側の垂直支持部材３４Ｌと右側の垂直支持部材３４Ｒが設けられ、ロック機構３６Ｌ，３６Ｒがそれぞれ上下方向に摺動可能となるように装着されている。ロック機構３６Ｌ，３６Ｒの底部には、水平枠部材４２が固定されている。水平枠部材４２は、前方側の景品フィールド３２に対応する水平枠部材３８と共に矩形枠を形成する。水平枠部材４２は、後方側の景品フィールド３５の外周枠を形成しており、枠内に景品載置部材が配置されることにより景品載置エリアを形成する。
【００３５】
水平枠部材４２は、ロック機構３６Ｌ，３６Ｒと固定されているため、ロック機構３６Ｌ，３６Ｒが垂直支持部材３４Ｌ，３４Ｒに沿って上下方向に摺動されるのに伴って上下方向に移動する。これにより、景品フィールド３５の高さを調整することができる。
【００３６】
ロック機構３６Ｌ，３６Ｒは、それぞれに設けられたロックスイッチ３６Ｌａ，３６Ｒａをオフすることによりロックが外れて上下方向に移動させることができ、オンすることによりロックされて位置が固定される。
【００３７】
水平枠部材４２の下部には、垂直支持部材３４Ｌに沿って支持部材４４Ｌが取り付けられ、垂直支持部材３４Ｒに沿って支持部材４４Ｒが取り付けられている。支持部材４４Ｌ，４４Ｒは、水平枠部材４２をロック機構３６Ｌ，３６Ｒと一体化させると共に、上下方向の摺動時や景品フィールド３５に景品を載置しても安定するように支持するための部材である。なお、図４に示す上下傾斜調整機構では、水平枠部材４２を下から支持部材４４Ｌ，４４Ｒによって支えているが、水平枠部材４２の上側に支持部材４４Ｌ，４４Ｒの代わりに同様の目的を持った部材を取り付けた構成としても良い。
【００３８】
水平枠部材４２の内側には、垂直支持部材３４Ｌ，３４Ｒの近傍に設けられた回転軸を介して、回動可能な状態で傾斜枠部材４３が取り付けられている。傾斜枠部材４３は、回転軸によって任意に傾斜角度を変更させることができる。水平枠部材４２に設けられた回転軸は、水平枠部材４２がロック機構３６Ｌ，３６Ｒと固定された位置の近傍に設けられている。すなわち、傾斜枠部材４３に景品載置部材を装着すること（さらには複数の景品が載置されること）により増加する荷重を、垂直支持部材３４Ｌ，３４Ｒの軸近傍においてかけるようにすることで、水平枠部材４２やロック機構３６Ｌ，３６Ｒ、支持部材４４０Ｌ，４４Ｒに対する負荷を軽減することができる。
【００３９】
また、水平枠部材４２に設けられた回転軸の近傍には、水平枠部材４２と傾斜枠部材４３とを固定する枠部材ロック機構４５Ｌ，４５Ｒが設けられている。枠部材ロック機構４５Ｌ，４５Ｒは、傾斜枠部材４３を任意の角度で傾斜させた状態で回動不可能となるように、水平枠部材４２と傾斜枠部材４３とを固定して、傾斜した状態を維持する。
【００４０】
なお、図４においては、上下傾斜調整機構の詳細な構成を図示するために図示を省略しているが、傾斜枠部材４３は、景品載置エリアを形成するために、複数の景品載置部材を装着するための支持部材として使用される。傾斜枠部材４３は、支持部材の外周枠を構成しており、例えば景品載置部材の形状（サイズ等）に合わせた他の支持部材を、さらに装着することが可能である。また、傾斜枠部材４３には１つの景品載置部材を装着するようにしても良い。
【００４１】
図５は、ロック機構３３Ｒとロック機構３６Ｒの周辺の構成の詳細を示す図である。  
図５において、前方側の上下傾斜調整機構のロック機構３３Ｒは、ロックスイッチ３３Ｒａがオンされた状態にある。すなわち、水平枠部材３８がロック機構３３Ｒを介して垂直支持部材３１Ｒに固定された状態にある。ロックスイッチ３３Ｒａがオンされることにより、ロック機構３３Ｒの内部に設けられた係合部材が垂直支持部材３１Ｒに設けられた係合穴（図示せず）に係合してロックすることができる。
【００４２】
一方、後方側の上下傾斜調整機構のロック機構３６Ｒは、ロックスイッチ３６Ｒａがオフされた状態にある。すなわち、水平枠部材４２が移動可能な状態となっており、管理者が水平枠部材３８を持って上下に移動させて位置を調整することができる状態にある。ロックスイッチ３６Ｒａがオフされることにより、ロック機構３６Ｒの内部に設けられた係合部材が垂直支持部材３４Ｒに設けられた係合穴（図示せず）から抜けてロックを外すことができる。
【００４３】
次に、ロック機構３３Ｒの詳細な構成について、図６〜図１０を参照しながら説明する。なお、ロック機構３３Ｌ，３６Ｌ，３６Ｒもロック機構３３Ｒと同様の構成であるものとして詳細な説明を省略する。  
図６は、ロック機構３３Ｒの外観を示す図である。図６では、垂直支持部材３１Ｒの図示を省略している。ロック機構３３Ｒは、垂直支持部材３１Ｒの３面を覆うように水平断面の形状が凹型となっており、凹部に垂直支持部材３１Ｒを嵌合させる。ロック機構３３Ｒは、ロックスイッチ３３Ｒａの操作によって、垂直支持部材３１Ｒと係合する係合部材が筐体内部に実装されている。図６は、ロックスイッチ３３Ｒａがオンされた状態を示している。
【００４４】
図７は、ロック機構３３Ｒの外筐体を外して内部構造を示す図、図８は、図７の反対側から見たロック機構３３Ｒの外筐体を外して内部構造を示す図である。また、図９は、ロック機構３３Ｒの内部構成を示す上面図である。図７、図８、図９は、ロックスイッチ３３Ｒａがオフされた状態を示している。
【００４５】
図７及び図８に示すように、ロックスイッチ３３Ｒａは、軸６２により回動する。図６に示すオン状態にある時に上部が押されることで軸６２により回動して、図７及び図８に示すように下部が跳ね上がりオフ状態となる。また、図７及び図８に示すオフ状態にある時に下部が押されるので軸６２により回動して、図６に示すように上部が突出してオン状態となる。
【００４６】
ロックスイッチ３３Ｒａの垂直支持部材３１Ｒを挟んだ反対側では、バネ受け部材６４と係合部材６３との間にバネ６５が装着されている。バネ６５は、ロックスイッチ３３Ｒａの方向に付勢している。
【００４７】
ロックスイッチ３３Ｒａは、オフ状態にされると係合部材６３を押し込むように作用する。従って、係合部材６３は、ロックスイッチ３３Ｒａにより押し込まれることで付勢に反した方向に移動する。一方、ロックスイッチ３３Ｒａがオフ状態にされると、バネ６５の付勢力によって、係合部材６３は、ロックスイッチ３３Ｒａの側に移動する。
【００４８】
図８に示すように、係合部材６３の先端部６３ａは、鉤状になっており、垂直支持部材３１Ｒに設けられた複数の係合穴７０−１，７０−２，…に挿入可能となっている。なお、係合穴７０−１，７０−２，…は、ロック機構３３Ｒが垂直支持部材３１Ｒに沿って上下方向に移動された場合に係合部材６３の先端部６３ａと相対するように、ロック機構３３Ｒの移動可能範囲において、例えば一定間隔で縦方向に配列されている。
【００４９】
先端部６３ａは、ロックスイッチ３３Ｒａがオフ状態にされて係合部材６３が押し込まれた場合に係合穴７０−１，７０−２，…から外れる。これにより、ロック機構３３Ｒは、ロックが解除されて、垂直支持部材３１Ｒに沿って上下方向に移動可能となる。一方、先端部６３ａは、ロックスイッチ３３Ｒａがオン状態にされた場合、バネ６５の付勢力により押されて係合穴７０−１，７０−２，…に挿入される。図１０は、係合部材６３の先端部６３ａが垂直支持部材３１Ｒに挿入される様子を示している（分かり易くするために垂直支持部材３１Ｒの図示を省略している）。
【００５０】
このようにして、ロック機構３３Ｒは、ロックスイッチ３３Ｒａの状態を切り替えることにより、垂直支持部材３１Ｒへの固定（ロック）と解除を簡単に行うことができ、景品フィールド３２の位置決め（高さ調整）の作業を容易にすることができる。
【００５１】
次に、傾斜枠部材３９を回動不可能となるように固定するための枠部材ロック機構４１Ｒの詳細な構成について、図１１〜図１５（及び図６）を参照しながら説明する。なお、枠部材ロック機構４１Ｌ，４５Ｌ，４５Ｒも同様の構成を有するものとして詳細な説明を省略する。
【００５２】
図１１及び図１２は、枠部材ロック機構４１Ｒの周辺を示す図である。図１１及び図１２に示すように、傾斜枠部材３９は、水平枠部材３８に設けられた回転軸８０を介して回動可能となるように取り付けられている。枠部材ロック機構４１Ｒは、回転軸８０により回動する傾斜枠部材３９を任意の傾斜角度で回動不可能に固定するための機構である。
【００５３】
枠部材ロック機構４１Ｒには、傾斜枠部材３９の底部に固定された半円形の半円部材８１と、半円部材８１の外周に沿って設けられた穴８１ａに、管理者による操作レバー８２の操作に応じて貫通部材８３を貫通させるための貫通機構部が含まれている。半円部材８１は、半円の中心が回転軸８０の位置と一致するように取り付けられている。従って、半円部材８１に設けられた複数の穴８１ａは、傾斜枠部材３９が回動することに伴って同じ位置を通過する。
【００５４】
貫通機構部は、水平枠部材３８の底部において、固定部材８４によって水平枠部材３８と支持部材４０Ｒに固定されている。図１２は、貫通機構部の内部を示すために固定部材８４の図示を省略している。図１３は、貫通機構部の平面図である。
【００５５】
貫通機構部には、コ字型の基台８５が設けられ、基台８５の相対する一方の面（第１面）に貫通部材８３を通過可能な穴を設け、他方の面（第２面）に貫通部材８３と同軸で連接された操作部材８６を通過可能な穴が設けられている。基台８５の相対する面（第１面、第２面）の内側において、操作部材８６にバネ受け部材８９が設けられており、バネ受け部材８９と操作部材８６側の第２面との間に、操作部材８６に巻回するようにバネ８８が設けられている。バネ８８は、バネ受け部材８９を介して、貫通部材８３を半円部材８１側に押し出すように付勢されている。従って、操作レバー８２により操作部材８６を引き抜くように操作すると、バネ８８の付勢力に反して貫通部材８３が半円部材８１の穴８１ａから引き抜かれ、操作レバー８２の操作を停止すると、バネ８８の付勢力により貫通部材８３が半円部材８１の方向に押し出される。
【００５６】
操作部材８６の外周部には、図１３に示すように、例えば２つの突起９０ａ，９０ｂが設けられている。突起９０ａ，９０ｂは、操作レバー８２が操作されていない状態では、基台８５の第１面と第２面との内側に位置し、貫通部材８３を半円部材８１から引き抜くように操作レバー８２が操作された状態では、基台８５の第２面を通過する位置に設けられている。
【００５７】
図１４（ａ）（ｂ）には、基台８５の突起９０ａ，９０ｂが通過する第２面の穴の形状を示している。図１４（ａ）に示すように、基台８５の第２面には、突起９０ａ，９０ｂが通過できるように切り欠きが形成されている。
【００５８】
従って、例えば図１５に示すように、操作レバー８２が下向きにある状態で貫通部材８３を引き抜くように操作した場合には、突起９０ａ，９０ｂは第２面を通過する。そして、突起９０ａ，９０ｂが通過した後、例えば図６に示すように、操作部材８６（貫通部材８３）を軸回転させるように操作レバー８２を回すことにより、図１４（ｂ）に示すように、突起９０ａ，９０ｂが基台８５の第２面の外側において、切り欠きが設けられていない位置において係止する。
【００５９】
このため、傾斜枠部材３９の傾斜角度を調整する際に、操作レバー８２を操作して貫通部材８３を半円部材８１から引き抜き、図１４に示すように、突起９０ａ，９０ｂを基台８５の第２面の外側に係止させておけば、傾斜枠部材３９を自由に回動可能な状態にすることができ調整作業を容易にすることができる。管理者は、傾斜枠部材３９の傾斜角度を決めて停止させた状態で、操作レバー８２を元の向き（図１５に示す下向き）に戻すことにより、簡単に貫通部材８３を半円部材８１の穴８１ａに貫通させて傾斜枠部材３９を固定することができる。
【００６０】
なお、本実施形態におけるクレーンゲーム装置１０は、前述した貫通機構部の構成に限定されるものではなく、より簡単な構成とすることも可能である。例えば、貫通部材（棒状の部材）を貫通可能な穴が形成された部材を、水平枠部材３８と支持部材４０Ｒとに固定して設け、この部材の穴と半円部材８１に設けられた穴８１ａとを貫通部材により貫通させることにより、傾斜枠部材３９が回動しないように固定することができる。
【００６１】
また、前述した構成では、半円部材８１の外周に沿って複数の穴８１ａを配設した構成としているが、半円部材８１の外周部に貫通部材８３と係合する複数の切り欠きを設け、この切り欠きに貫通部材８３を係合させることにより、傾斜枠部材３９の回動を規制する構成としても良い。  
その他、傾斜枠部材３９の回動を任意の傾斜角度で回動不可能とすることができれば、その他の構造とすることも可能である。
【００６２】
次に、上下傾斜調整機構に設けられたアシスト機構の詳細な構成について説明する。  
図１６は、図１５に示すＡ−Ａ線の垂直支持部材３１Ｒを含む断面を示す図である。なお、垂直支持部材３１Ｌ，３４Ｌ，３４Ｒも同様に構成されるものとして詳細な説明を省略する。
【００６３】
図１６に示すように、垂直支持部材３１Ｒは、内部が空洞になっており、その空間内に水平枠部材３８を引き上げるように作用（上方向に付勢）させるための弾性部材が内挿されている。本実施形態では、弾性部材としてバネ９２を用いているが、ゴムなどの他の部材を用いることも可能である。
【００６４】
バネ９２の上端部は、垂直支持部材３１Ｒの上部において、接続部材９０により固定されている。バネ９２の下端部は、垂直支持部材３１Ｒに設けられたスリットから垂直支持部材３１Ｒに挿入された、支持部材４０Ｒと固定された接続部材９３に接続されている。支持部材４０Ｒが水平枠部材３８と固定されているため、バネ９２は、水平枠部材３８を上方に引き上げるように付勢する。
【００６５】
管理者が水平枠部材３８の高さを調整する際にロック機構３３Ｒによるロックを外すと、バネ９２によって水平枠部材３８が引き上げるように作用するため、水平枠部材３８の荷重全てが管理者に掛からない。このため、腕力がない管理者であっても水平枠部材３８（景品フィールド３２）の高さ調整を容易に実施することができる。
【００６６】
なお、図１６に示す例では、バネ９２を垂直支持部材３１Ｒに内挿するように実装しているが、垂直支持部材３１Ｒに沿って外周近傍に取り付けられた構成としても良い。
【００６７】
このようにして、本実施形態におけるクレーンゲーム装置１０では、垂直支持部材３１Ｌ，３１Ｒ、垂直支持部材３４Ｌ，３４Ｒを縦方向に配設して、垂直支持部材３１Ｌ，３１Ｒ、垂直支持部材３４Ｌ，３４Ｒに沿って、前方側の景品フィールド３２、後方側の景品フィールド３５をそれぞれ上下方向に移動させる構成としたので、上下傾斜調整機構を筐体内部に設けるためのスペースが少なくて済む。このため、クレーンゲーム装置１０の筐体サイズを大きくすることなく、１つのユニット（左側ユニット１０Ｌあるいは右側ユニット１０Ｒ）について、前方側の景品フィールド３２と後方側の景品フィールド３５とを配置可能となっている。
【００６８】
こうして、１つのユニットに前方側の景品フィールド３２と後方側の景品フィールド３５とを配置することで、それぞれの景品フィールド３２，３５の高さと傾斜を変更して組み合わせることによって、景品フィールド全体の形態を多彩に変形することが可能となる。
【００６９】
図１７〜図２０は、景品フィールド３２，３５の組合せにより構成される景品フィールド全体の形態の一例を示している。図１７〜図２０では、上下傾斜調整機構の図示を省略している。景品載置エリア５０，５１は、景品フィールド３２，３５のそれぞれにおいて、複数の景品載置部材を組み合わせて構成されている。なお、図１７〜図２０に示す景品載置エリア５０は、便宜上、単純な平面で図示しているが、複数の景品載置部材のうち何れかを取り外すことにより景品取り出し口がレイアウトされるものとする。
【００７０】
図１７は、水平枠部材３８、４２の高さを同じにすると共に、傾斜枠部材３９，４３を水平にして固定した例を示している。図１７に示す形態にすることにより、広い景品フィールドを構成することができる。
【００７１】
図１８は、傾斜枠部材３９，４３を水平にして固定し、水平枠部材３８より水平枠部材４２の方（後方側）を高くした例を示している。景品載置エリア５０と景品載置エリア５１との段差の隙間には、複数のフェンス９５を配置することにより景品の落下を防止している。図１８に示す形態とすることにより、ひな壇状にすることができ、景品載置エリア５０と景品載置エリア５１のそれぞれに景品を載置することにより、少量の景品数であっても効果的に景品をプレーヤにアピールすることができる。
【００７２】
図１９は、傾斜枠部材３９，４３を同じ角度に傾斜した状態で固定し、景品載置エリア５０と景品載置エリア５１とが連続する平面を形成するように水平枠部材３８，４２の高さを調整した例を示している。図１９に示す形態とすることにより、大量の景品を山積みすることなく、景品を盛り上げたように展示することができ、効果的にプレーヤにアピールすることができる。
【００７３】
図２０は、傾斜枠部材３９よりも傾斜枠部材４３の傾斜角度を大きくした状態で固定し、景品載置エリア５０よりも景品載置エリア５１方が高くなるように水平枠部材３８，４２の高さを調整した例を示している。景品載置エリア５０と景品載置エリア５１の角度と高さを大きくするによりできる段差の隙間には、複数のフェンス９５を配置することにより景品の落下を防止している。図２０に示す形態とすることにより、図１９に示す形態よりも、さらに景品を盛り上げたように展示することができる。
【００７４】
図２１（ａ）（ｂ）（ｃ）には、フェンス９５の景品載置エリア５０，５１への取り付けの一例を示している。フェンス９５は、図１８や図２０に示すように隙間を塞ぐために用いたり、景品載置エリア５０，５１から景品が落下しないようにする落下防止フェンスとして用いられる。
【００７５】
図２１（ａ）は、例えば景品載置エリア５０の端部にフェンス９５をビス９６により固定した例を示している。フェンス９５の端部近傍と景品載置エリア５０（傾斜枠部材３９）にネジ穴を設けておくことで、フェンス９５をビス９６で固定して落下防止フェンスとすることができる。
【００７６】
図２１（ｂ）は、例えば景品載置エリア５１の端部にフェンス９５をビス９７により固定した例を示している。同様にして、フェンス９５の端部近傍と景品載置エリア５１（例えば、景品載置部材）にネジ穴を設けておくことで、フェンス９５をビス９７で固定して落下防止フェンスとすることができる。フェンス９５は、一方の端部近傍が屈曲しており、この屈曲した側の端部を傾斜した景品載置エリア５１に固定することで、落下防止フェンスをほぼ垂直に設けることができる。
【００７７】
図２１（ｃ）は、例えば景品載置エリア５１の面上にフェンス９５をビス９８により固定した例を示している。フェンス９５の面部と景品載置エリア５１（景品載置部材）の面部にネジ穴を設けておくことで、フェンス９５を景品載置エリア５１の面を合わせて固定して、景品載置エリア５０，５１の隙間を塞ぐことができる。
【００７８】
なお、図１７〜図２０は、１つのユニットにおける景品フィールド３２，３５の組み合わせのみを示しているが、左側ユニット１０Ｌと右側ユニット１０Ｒのそれぞれの景品フィールド３２，３５の組み合わせによって、さらにフィールド上の景品をプレーヤに効果的にアピールできるような、様々な形態を提供することが可能である。
【００７９】
なお、前述した説明では、垂直支持部材３１Ｌ，３１Ｒと垂直支持部材３４Ｌ，３４Ｒは、それぞれ垂直に配設されるとしているが、傾斜させて配設した構成としても良い。この場合、水平枠部材３８，４２は、傾斜された支持部材に沿って上下方向に移動可能となる。また、前方側あるいは後方側の何れか一方の支持部材のみを傾斜させて配設した構成としても良い。
【００８０】
また、前述した説明では、１つのユニット（左側ユニット１０Ｌあるいは右側ユニット１０Ｒ）において、前後に景品フィールド３２，３５を配置しているが、左右あるいは斜めに配置することも可能である。
【００８１】
さらに、前述した説明では、１つのユニット（左側ユニット１０Ｌあるいは右側ユニット１０Ｒ）に対して、前方側の景品フィールド３２と後方側の景品フィールド３５のそれぞれに対応する２つの上下傾斜調整機構を設けているが、１つの上下傾斜調整機構のみを設けた構成、あるいは３つ以上の上下傾斜調整機構を設けた構成としても良い。
【００８２】
また、傾斜枠部材３９，４３を前後方向に傾斜させるとしているが、左右方向に傾斜させる構成としても良い。
【００８３】
また、前述した上下傾斜調整機構では、水平枠部材３８，４２を介して傾斜可能にした傾斜枠部材３９，４３を取り付けているが、水平枠部材３８，４２に代えて、ロック機構３３Ｌ，３３Ｒ，３６Ｌ，３６Ｒに、直接、傾斜可能となるように傾斜枠部材３９，４３を取り付けた構成としても良い。
【００８４】
また、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８５】
１０…クレーンゲーム機、１２…上部筐体、１３…下部筐体、１５…透明板、１６Ｌ，１６Ｒ…景品フィールド、１８Ｌ，１８Ｒ…クレーンアーム、２１Ｌ，２１Ｒ…景品取出口、２３Ｌ，２３Ｒ…コンパネ部、２４Ｌ，２４Ｒ…ボタン、２６Ｌ，２６Ｒ…コイン投入口、３１Ｌ，３１Ｒ，３４Ｌ，３４Ｒ…垂直支持部材、３８，４２…水平枠部材、３９，４３…傾斜枠部材、３３Ｌ，３３Ｒ，３６Ｌ，３６Ｒ…ロック機構。
【図１】
0005848875.tif 000002
【図２】
0005848875.tif 000003
【図３】
0005848875.tif 000004
【図４】
0005848875.tif 000005
【図５】
0005848875.tif 000006
【図６】
0005848875.tif 000007
【図７】
0005848875.tif 000008
【図８】
0005848875.tif 000009
【図９】
0005848875.tif 000010
【図１０】
0005848875.tif 000011
【図１１】
0005848875.tif 000012
【図１２】
0005848875.tif 000013
【図１３】
0005848875.tif 000014
【図１４】
0005848875.tif 000015
【図１５】
0005848875.tif 000016
【図１６】
0005848875.tif 000017
【図１７】
0005848875.tif 000018
【図１８】
0005848875.tif 000019
【図１９】
0005848875.tif 000020
【図２０】
0005848875.tif 000021
【図２１】
0005848875.tif 000022